(57)【特許請求の範囲】
【請求項１】
建築物の設計データである建築物の部材の寸法・形状・色・模様・材質等の情報を入力時年月日時刻情報・建築時年月日時刻情報とともに部材ファイルに記憶させる情報記憶部と、建築物の間取り図・外観図の画像を前記情報記憶部の部材ファイルを用いて生成する図面生成部と、増改築の判断時の判断年月日情報を入力できる増改築判断時入力部とを備えたコンピュータを機能させて増改築部分の個所を既設建築部分との関係で明確に表示できるようにする建築物の増改築部分強調表示プログラムであって、増改築判断時入力部で入力された増改築の判断年月日情報と情報記憶部の部材ファイルの入力時年月日又は建築時年月日時刻情報とを比較して部材が既設建築部分か増改築部分かを判別する既設部分判定手順と、同既設部分判定手順で判別された増改築部分の部材をカラー表示し、既設建築物の部材はセピア色の半透明・モノトーン表示・半透明表示・色彩・色相又は明度を変えたりあるいは網かけをして部材の表示を変更した強調表示用の新しい部材ファイルを情報記憶部に生成する表示色変更手順とを実行する建築物の増改築部分強調表示プログラム。
【発明の詳細な説明】
【０００１】
【発明の属する技術分野】
本発明は、家屋・マンション・ビルその他の建築物での増改築部分を明確に視覚できるようにして正確に確認できるようにするためのコンピュータの表示プログラムに関し、建築物設計ＣＡＤソフト中に組み込まれて使用されるか、又は建築物表示ソフトとして独立したソフトとして使用されるものである。
【０００２】
【従来の技術】
従来の建築物設計ＣＡＤソフト又は建築物の図面・外観・内観を表示するソフトは、増改築する前の建築物の図面，内外観の画像と増改築した後又は増改築計画の建築物の図面，内外観の画像はそれぞれ独立したものとして表示するか、又は同一画面で比較できるように両図面・画像を並べて出力するものである。
この従来の増改築物の表現では、既設建築物のどの部分をどのように増改築したかが、二つの画像から人間が注意深く観察しないと分りにくいものとなっていた。そのため、増改築の評価・理解が不正確・不充分となりがちで、そのため増改築後に施主と建築業者とのトラブルの原因ともなっていた。
【０００３】
【発明が解決しようとする課題】
本発明が解決しようとする課題は、従来のこれらの問題点を解消し、増改築部分の個所及び増改築の状況が正確に且つ分り易く表現でき、施主と建築業者とのトラブルを少なくできる建築物の増改築部分強調表示プログラムを提供することにある。
【０００４】
【課題を解決するための手段】
かかる課題を解決した本発明の構成は、
１）  建築物の設計データである建築物の部材の寸法・形状・色・模様・材質等の情報を入力時年月日時刻情報・建築時年月日時刻情報とともに部材ファイルに記憶させる情報記憶部と、建築物の間取り図・外観図の画像を前記情報記憶部の部材ファイルを用いて生成する図面生成部と、増改築の判断時の判断年月日情報を入力できる増改築判断時入力部とを備えたコンピュータを機能させて増改築部分の個所を既設建築部分との関係で明確に表示できるようにする建築物の増改築部分強調表示プログラムであって、増改築判断時入力部で入力された増改築の判断年月日情報と情報記憶部の部材ファイルの入力時年月日又は建築時年月日時刻情報とを比較して部材が既設建築部分か増改築部分かを判別する既設部分判定手順と、同既設部分判定手順で判別された増改築部分の部材をカラー表示し、既設建築物の部材はセピア色の半透明・モノトーン表示・半透明表示・色彩・色相又は明度を変えたりあるいは網かけをして部材の表示を変更した強調表示用の新しい部材ファイルを情報記憶部に生成する表示色変更手順とを実行する建築物の増改築部分強調表示プログラム
にある。
【０００５】
【発明の実施の形態】
本発明の増改築部分と既設建築部分との視覚上の差異を生成する増改築部分強調表示部の方法としては、増改築部分を種々の色のカラー表示し、既設建築部分をセピア色、又は白黒のハーフトーン表現にするとか、既設建築部分の明度を大きく低下させたり、網かけをしたり、半透明化したり、又は色彩・色相をかえたり、薄い一色の半透明カラー色を被せる等の方法がある。
どの程度であれば増改築とするかは、本来的な変更か、内部構造の微細なものか否か、表面の視覚できるものか、そうでないかに応じて適宜決定する。
【０００６】
【実施例】
以下、本発明の実施例を図面に基づいて説明する。実施例は、既設建築部分をセピア色の半透明とし、増改築部分は、建築部材・備品・建具毎に色彩・模様を施した多色のカラー表現して増改築部分を強調表示できるようにした例である。
【０００７】
図１は、実施例による増改築した建築物の増改築部分強調表示プログラムで処理された後の画面例である。
図２は、実施例の表示色変更部の処理がなされない場合の増改築建築物の画面例である。
図３は、実施例の既設建築物の画面例である。
図４は、実施例のコンピュータのハード構成図である。
図５は、実施例のソフト構成図である。
図６は、実施例の処理フロー図である。
【０００８】
図中、１はコンピュータ、１ａ〜１ｇはコンピュータの構成部分で、１ａはＣＰＵ、１ｂはＲＯＭ、１ｃはＲＡＭ、１ｄはＨＤＤ（ハードディスク）、１ｅはキーボード、１ｆはマウス、１ｇはディスプレイ、ＧＡはディスプレイ１ｇでの増改築する前の既設建築物Ａの既画像、ＧＢはディスプレイ１ｇでの増改築建築物Ｂの増改築画像、ＧＣはディスプレイ１ｇでの既設建築物Ａの部分と増改築部分との表現に差異を設けた増改築強調画像である。
Ｐは、本実施例の建築物の増改築部分強調表示プログラム、ＯＳはオペレーションシステムで、ＣＡＤＰは建築設計ＣＡＤソフトである。
【０００９】
ａ１，ａ２，ａ３・・・は既設建築物Ａの部材，ｂ１，ｂ２，ｂ３・・・は増改築部分の部材、ｊａ１，ｊａ２，ｊａ３・・・ｊｂ１，ｊｂ２，ｊｂ３，・・・は部材ａ１，ａ２，ａ３・・・ｂ１，ｂ２，ｂ３，・・・の各部材の寸法・形状・位置・素材・色彩・色相・模様・表面に見えるか否かの情報・入力時年月日時刻情報・建築時年月日時刻情報等の部材の属性を入力した部材ファイルである。
Ｓ１は建築物の設計ＣＡＤソフトＣＡＤＰによる設計入力部、Ｓ２は設計ＣＡＤソフトＣＡＤＰで入力された建築物の部材ａ１，ａ２，・・・ｂ１，ｂ２の寸法・形状・色・模様・材質等の情報を入力時年月日時刻情報，建築時年月日時刻情報とともにＨＤＤ内の部材ファイルＪａ１，Ｊａ２，Ｊａ３，・・・Ｊｂ１，Ｊｂ２，・・・に記憶させる情報記憶部、Ｓ３は、建築物の間取り図・外観図・内観図の画像を各部材の部材ファイルＪａ１，Ｊａ２，Ｊａ３，・・・を用いて作成する図面生成部、Ｓ４は、増改築の判断年月日情報を入力する増改築の判断時入力部、Ｓ５は、同判断時入力部で入力された判断年月日情報の年月日時刻と、画像で表示される各部材ａ１，ａ２，・・・ｂ１，ｂ２・・・の部材ファイルＪａ１，Ｊａ２，・・・Ｊｂ１，Ｊｂ２の入力時年月日時刻情報又は建築時年月日時刻情報の年月日時刻とを比較して各部材が既設建築部分か増改築部分かを判断する既設部分判定手順を行う既設部分判定部、Ｓ６は各間取り図・外観図・内観図の増改築画像ＧＣ画像上で、既設建築物Ａの部材ａ１，ａ２，・・・の各部材の部材ファイルＪａ１，Ｊａ２，・・・の表面色を半透明のセピア色に変更する表示色変更手順を行う既設建築物の表示色変更部、Ｓ７は図面生成部Ｓ３で生成された表示色変更された増改築強調画像ＧＣ，既設建築画像ＧＡ，増改築建築画像ＧＢ等の画像をディスプレイに表示する表示部である。
【００１０】
この実施例では、設計入力部Ｓ１のプログラムが作動し、建築設計ＣＡＤソフトＣＡＤＰを用いて建築物の間取り、壁材・屋根材・建具・建築部材・付属品・備品等の各部材の選択・配置・寸法・位置・素材・色彩・色相・模様等を決定していき、情報記憶部Ｓ２によって、設計の入力時年月日時刻・建築時年月日時刻の情報とともにその各部材ａ１，ａ２，・・・の上記情報を部材ファイルＪａ１，Ｊａ２，・・・に記憶する。
増改築の計画は、前の建築物の設計状態に続いて設計入力部Ｓ１のプログラムを作動させ、追加・修正の増改築の設計を行い、設計が決定すると情報記憶部Ｓ２によって設計の入力時年月日時刻情報とともにその増築された部材ｂ１，ｂ２，・・・の情報をその部材ファイルＪｂ１，Ｊｂ２，・・・に記憶させる。
【００１１】
次に増改築の判断時入力部Ｓ４から、既設建築物Ａの建築時と増改築の入力時との間の増改築の判断時年月日を入力すると、既設部分判定部Ｓ５が作動し、各部材ａ１，Ｓ５，ａ２，・・・ｂ１，ｂ２，・・・の部材ファイルＪａ１，Ｊａ２，・・・Ｊｂ１，Ｊｂ２，・・・の建築時年月日時刻情報の年月日時刻と判断時年月日との大小を調べ、判断時年月日の方が後の時刻であればその部材は既設建築部分と判断し、判断時年月日の方が前の時刻又は建築時年月日時刻情報がないときは増改築部分と判定する。
【００１２】
既設建築部分については、表示色変更部Ｓ６が作動し、各部材ファイルＪａ１，Ｊａ２，・・・の表面色をすべて半透明のセピア色に変更し、新しい部材ファイルＪｃ１，Ｊｃ２，Ｊｃ３，・・・として情報記憶部Ｓ２で記憶させる。
図面生成部Ｓ３は、部材情報Ｊａ１，Ｊａ２，・・・から既設建築物Ａの間取り図，外観図，内観図の画像ＧＡ（図３参照）を生成する。又部材ファイルＪａ１，Ｊａ２，・・・Ｊｂ１，Ｊｂ２，・・・から、増改築建築物Ｂの画像ＧＢ（図２参照）を生成する。
更に、部材ファイルＪｃ１，Ｊｃ２，・・・Ｊｂ１，Ｊｂ２・・・から増改築部分強調表示の増改築建築物Ｂの画像ＧＣ（図３参照）を生成する。
各画像ＧＡ，ＧＢ，ＧＣは、選択により既設建築物Ａの画像、増改築建築物Ｂ及び増改築部分強調の増改築建築物Ｂの画像としてディスプレイ１ｇで表現できる。以上の処理フローは図６に示す。
【００１３】
増改築部分強調建築物の画像ＧＣは既設建築部分が半透明のセピア色となるので、カラー表示の増改築部分の位置・イメージが強調され、明確で正確な増改築部分を認識できる。
全体カラー表示の増改築建築状態は、画像ＧＢをディスプレイ１ｇで映出することで分かるようになっている。
増改築が複数回繰り返えされた時は、最後の増改築後の年月日時刻を増改築判断時として入力すれば、これから増改築しようとする設計部分の増改築部分を強調表示できる。
【００１４】
【発明の効果】
以上の様に、本発明によれば増改築部分をカラー表示し、既設建築部分をセピア色の半透明色、モノトーン表示、半透明表示・色彩・色相・明度を変えたり網かけ等したり、差異が分かるように表現することで増改築部分を既設建築部分と対比できて明確且つ分かり易く表現でき、増改築部分のイメージを正確に与えることができる。
【図面の簡単な説明】
【図１】  実施例による増改築した建築物の増改築部分強調表示プログラムで処理された後の画面例である。
【図２】  実施例の表示色変更部の処理がなされない場合の建築物の画面例である。
【図３】  前の実施例の既設建築物の画面例である。
【図４】  実施例のコンピュータのハード構成図である。
【図５】  実施例のソフト構成図である。
【図６】  実施例の処理フロー図である。
【符号の説明】
１  コンピュータ
１ａ  ＣＰＵ
１ｂ  ＲＯＭ
１ｃ  ＲＡＭ
１ｄ  ＨＤＤ（ハードディスク）
１ｅ  キーボード
１ｆ  マウス
１ｇ  ディスプレイ
Ａ  既設建築物
Ｂ  増改築建築物
ＣＡＤＰ  建築設計ＣＡＤソフト
ＧＡ  既設建築物の画像
ＧＢ  増改築建築物の画像
ＧＣ  増改築部分強調の建築物の画像
Ｐ  建築物の増改築部分強調表示プログラム
Ｓ１  設計入力部
Ｓ２  情報記憶部
Ｓ３  図面生成部
Ｓ４  判断時入力部
Ｓ５  既設部分判定部
Ｓ６  表示色変更部
Ｓ７  表示部
ａ１，ａ２，・・・  既設建築部分の部材
ｂ１，ｂ２，・・・  増改築部分の部材
Ｊａ１，Ｊａ２，・・・，Ｊｂ１，Ｊｂ２，・・・Ｊｃ１，Ｊｃ２，・・・  部材ファイル
【図１】
0003936155.tif 000002
【図２】
0003936155.tif 000003
【図３】
0003936155.tif 000004
【図４】
0003936155.tif 000005
【図５】
0003936155.tif 000006
【図６】
0003936155.tif 000007